(57)【要約】【課題】ＲＦＩＤ送信漏れ信号をＲＦＩＤ受信回路によって受信することを防止し、移動通信端末機の小型化を図る。【解決手段】所定距離で離間した位置に配置されたＲＦＩＤタグから情報を読み出すためのＲＦＩＤシステムを備える移動通信端末機に関し、ＲＦＩＤタグに無線信号を送信するＲＦＩＤ送信用アンテナと、ＲＦＩＤ送信用アンテナと別に設けられ、ＲＦＩＤタグから伝送されるＲＦＩＤ無線信号を受信するＲＦＩＤ受信用アンテナとを含む。【選択図】図２
2007208993.tif 000002
【特許請求の範囲】
【請求項１】
所定距離だけ離間した位置に配置されたＲＦＩＤタグから情報を読み出すためのＲＦＩＤシステムを備える移動通信端末機において、
基地局と通信を行なうために移動通信無線信号を送受信し、前記ＲＦＩＤタグに第１のＲＦＩＤ無線信号を送信するＲＦＩＤ送信用アンテナと、
前記ＲＦＩＤタグから伝送された第２のＲＦＩＤ無線信号を受信するＲＦＩＤ受信用アンテナと、
を含むことを特徴とするＲＦＩＤシステムを備える移動通信端末機。
【請求項２】
前記ＲＦＩＤ送信用アンテナは、ホイップアンテナ、ＰＩＦＡアンテナ、パッチアンテナのうち少なくとも１つで製造されることを特徴とする請求項１に記載のＲＦＩＤシステムを備える移動通信端末機。
【請求項３】
前記ＲＦＩＤ送信用アンテナは、前記移動通信無線信号を送受信する移動通信用アンテナと兼用で使われるメインアンテナであることを特徴とする請求項１に記載のＲＦＩＤシステムを備える移動通信端末機。
【請求項４】
前記メインアンテナの動作帯域を、前記第１のＲＦＩＤ無線信号を送信するための周波数帯域に変更させるＲＦＩＤマッチング回路と、
前記移動通信用無線信号の周波数帯域に、前記メインアンテナの動作帯域をマッチングさせる通信用マッチング回路と、
を更に含むことを特徴とする請求項３に記載のＲＦＩＤシステムを備える移動通信端末機。
【請求項５】
前記ＲＦＩＤ受信用アンテナは、極小型アンテナであることを特徴とする請求項１に記載のＲＦＩＤシステムを備える移動通信端末機。
【請求項６】
前記ＲＦＩＤ受信用アンテナは、誘電体で形成されたチップセラミックアンテナであることを特徴とする請求項５に記載のＲＦＩＤシステムを備える移動通信端末機。
【請求項７】
前記ＲＦＩＤ受信用アンテナは、ＰＩＦＡ/ＩＦＡタイプの小型アンテナであることを特徴とする請求項５に記載のＲＦＩＤシステムを備える移動通信端末機。
【請求項８】
前記メインアンテナと前記ＲＦＩＤ受信用アンテナは、同一のグラウンドに接続されていることを特徴とする請求項１に記載のＲＦＩＤシステムを備える移動通信端末機。
【請求項９】
前記グラウンドの一側辺から切取られたスロットが形成され、前記メインアンテナと前記ＲＦＩＤ受信用アンテナ間のカップリングを除去することを特徴とする請求項８に記載のＲＦＩＤシステムを備える移動通信端末機。
【請求項１０】
前記ＲＦＩＤ受信用アンテナは、前記ＲＦＩＤ送信用アンテナとは別に設けられることを特徴とする請求項１に記載のＲＦＩＤシステムを備える移動通信端末機。
【請求項１１】
所定距離で離間した位置に配置されたＲＦＩＤタグから情報を読み出すためのＲＦＩＤシステムを備える移動通信端末機において、
前記ＲＦＩＤタグに第１のＲＦＩＤ無線信号を送信するＲＩＦＤ送信用アンテナと、
基地局と通信を行なうために移動通信無線信号を送受信するか、前記ＲＦＩＤタグから伝送された第２のＲＦＩＤ無線信号を受信するＲＦＩＤ受信用アンテナと、
を含むことを特徴とするＲＦＩＤシステムを備える移動通信端末機。
【請求項１２】
前記ＲＦＩＤ受信用アンテナは、ホイップアンテナ、ＰＩＦＡアンテナ、パッチアンテナのうち少なくとも１つで構成されることを特徴とする請求項１１に記載のＲＦＩＤシステムを備える移動通信端末機。
【請求項１３】
前記ＲＦＩＤ受信用アンテナは、前記移動通信無線信号を送受信する移動通信用アンテナと兼用で使われるメインアンテナであることを特徴とする請求項１１に記載のＲＦＩＤシステムを備える移動通信端末機。
【請求項１４】
前記メインアンテナの動作帯域を、前記第２のＲＦＩＤ無線信号を受信するための周波数帯域に変更させるＲＦＩＤマッチング回路と、
前記移動通信用無線信号の周波数帯域に、前記メインアンテナの動作帯域をマッチングさせる通信用マッチング回路と、
を更に含むことを特徴とする請求項１３に記載のＲＦＩＤシステムを備える移動通信端末機。
【請求項１５】
前記ＲＦＩＤ送信用アンテナは、極小型アンテナであることを特徴とする請求項１１に記載のＲＦＩＤシステムを備える移動通信端末機。
【請求項１６】
前記ＲＦＩＤ送信用アンテナは、誘電体で形成されたチップセラミックアンテナであることを特徴とする請求項１５に記載のＲＦＩＤシステムを備える移動通信端末機。
【請求項１７】
前記ＲＦＩＤ送信用アンテナは、ＰＩＦＡ/ＩＦＡタイプの小型アンテナであることを特徴とする請求項１５に記載のＲＦＩＤシステムを備える移動通信端末機。
【請求項１８】
前記メインアンテナと前記ＲＦＩＤ送信用アンテナは、同一のグラウンドに接続されていることを特徴とする請求項１３に記載のＲＦＩＤシステムを備える移動通信端末機。
【請求項１９】
前記グラウンドの一側辺から切取られたスロットが形成され、前記メインアンテナと前記ＲＦＩＤ送信用アンテナ間のカップリングを除去することを特徴とする請求項１８に記載のＲＦＩＤシステムを備える移動通信端末機。
【請求項２０】
前記ＲＦＩＤ送信用アンテナは、前記ＲＦＩＤ受信用アンテナとは別に設けられることを特徴とする請求項１１に記載のＲＦＩＤシステムを備える移動通信端末機。
【発明の詳細な説明】
【技術分野】
【０００１】
本発明はＲＦＩＤシステムを備える移動通信端末機に関し、より詳細には、受信回路による送信漏れ信号の受信を防ぐことができ、更に小型化が可能なＲＦＩＤシステムを備える移動通信端末機に関する。
【背景技術】
【０００２】
一般的に、ＲＦＩＤ（Ｒａｄｉｏ  Ｆｒｅｑｕｅｎｃｙ  Ｉｄｅｎｔｉｆｉｃａｔｉｏｎ）システムは、リーダー、アンテナ、電子タグ、サーバ及びネットワークなどから構成される。ここで、リーダーは電子タグに保存されている情報の読み取りや情報を保存する役割を果たし、アンテナは定義された周波数とプロトコルにより電子タグに保存されているデータを交換する。
【０００３】
このようなＲＦＩＤシステムと移動通信との結合により、ｍＲＦＩＤ（ｍｏｂｉｌｅ  ＲＦＩＤ）という新しい技術とサービスが発展してきている。ｍＲＦＩＤ技術では、移動通信端末機に電子タグ、リーダー、アンテナ及び処理モジュールを取り付けることにより、他の電子タグから情報を読み出して、ユーザに有用な情報サービスを提供でき、かつ移動通信端末機内の電子タグを介して他の機器に移動通信端末機からの情報を伝達することができる。
【０００４】
図１は、従来のＲＦＩＤシステムのＲＦＩＤタグとＲＦＩＤリーダーの簡略化した回路図である。同図に示すように、ＲＦＩＤリーダー１０は、送信回路２０、受信回路２５、ＰＬＬ（ｐｈａｓｅ  ｌｏｃｋｅｄ  ｌｏｏｐ）２１、処理回路２７を含む。
送信回路２０は、ＲＦＩＤタグ３０に伝達される一定周波数の送信信号を発生し、受信回路２５は、送信信号に基づいてＲＦＩＤタグ３０から反射した受信信号を受信する。
【０００５】
ＰＬＬ２１は、送信信号と受信信号との位相差を検出し、この差異に比例した電圧で合成器の位相を制御し、受信信号の位相と送信信号の位相とを一致させる回路である。
処理回路２７は、送信回路２０から送信信号をＲＦＩＤタグ３０に伝送するように制御し、受信回路２５により受信された受信信号を読み取ってＲＦＩＤタグ３０の情報を獲得する。
【０００６】
そして、送信回路２０と受信回路２５は、アンテナ１１、フィルタ１３、ＤＣカップリング１５を含む。アンテナ１１は送信回路２０からの送信信号をＲＦＩＤタグ３０に伝送し、ＲＦＩＤタグ３０から反射した受信信号を受信して受信回路２５に伝達する。フィルタ１３は送信信号と受信信号を所望する大きさにフィルタリングし、ＤＣカップリング１５は送信信号と受信信号のＤＣ電圧を調節する。
【０００７】
一方、一般的な移動通信端末機の場合、送信回路と受信回路がそれぞれ別に動作し、送信回路で送信する信号と受信回路で受信する信号は互いに異なる周波数を有する。これにより、送信回路が動作する間、受信回路をオフして使うことができるため、送信回路で送信した信号を受信回路により直接受信することを防止できる。
これに対し、ＲＦＩＤシステムでは１つのアンテナを用いて送信と受信に共用で使っており、特に、ＲＦＩＤシステムを移動通信端末機に取り付けた場合、空間上の制約により複数のアンテナの設置が困難である。更に、ＲＦＩＤシステムでは送信回路２０と受信回路２５が同一周波数を用い、ＲＦＩＤタグ３０までの距離が分からないので、送信回路２０と受信回路２５を同時にオンして使う。このように、１つのアンテナ１１を使用し、送信回路２０と受信回路２５を同時にオンして使う場合、送信回路２０から伝送した送信信号が、受信回路２５のアンテナ又は回路を介して送信漏れ信号（Ｔｘ  ｃａｒｒｉｅｒ  ｌｅａｋａｇｅ）として受信回路２５が直接受信してしまうおそれがある。
【０００８】
このように受信回路２５が送信漏れ信号を受信する場合、送信漏れ信号がノイズとして作用することになり、受信回路２５はＲＦＩＤタグ３０からの受信信号と送信漏れ信号とが混合した信号を受信することとなる。従って、ＲＦＩＤタグ３０からの受信信号を正確に得ることが不可能であることにより、信号の劣化問題及びＤＣオフセットが発生する。
これに加え、受信回路２５の機器部品、例えば、ＬＮＡやミキサーの場合には、ＲＦＩＤタグ３０からの受信信号が小さい信号で入力されるように設計されていて、その線形性が小さい。ところで、送信回路２０から受信した送信漏れ信号が大きい場合、受信回路２５のＬＮＡによる増幅が飽和して動作できなくなるという問題点がある。また、このような送信漏れ信号は送信信号の大きさが大きくなるほど増加するので、送信信号の大きさを増加することが困難である。従って、ＲＦＩＤタグ３０を読み出す範囲が狭くなるので、ＲＦＩＤリーダーとＲＦＩＤタグとの通信可能な距離が限られる。
【０００９】
一方、ｍＲＦＩＤ技術で使われるＲＦＩＤ用アンテナは、９０８.５ＭＨｚ〜９１４ＭＨｚ帯域の無線信号を送受信することに対し、移動通信端末機自体の通信のためのアンテナは８５０ＭＨｚ帯域の無線信号を送受信する。従って、ＲＦＩＤ用無線信号の帯域と移動通信用無線信号の帯域はその差異があまり大きくはないが、既存の移動通信端末機に使われている移動通信用アンテナは狭帯域であるため、ＲＦＩＤ用無線信号まで送受信することは難しい。これにより、ｍＲＦＩＤ技術の実現のために従来の移動通信端末機の場合、ＲＦＩＤ用アンテナと移動通信用アンテナをそれぞれ別に取り付けて使っており、これにより、移動通信端末機のサイズが大きくなるという短所がある。
【００１０】
従って、ｍＲＦＩＤシステムにおいて送信用アンテナと受信用アンテナを別に設計することにより、送信漏れ信号が受信回路によって受信されることを防ぐ必要がある。また、従来のＲＦＩＤ用アンテナと移動通信用アンテナを別に取り付け、かつ送信用アンテナと受信用アンテナを分離しても、移動通信端末機のサイズが大きくなることを防止できる方法を模索しなければならない。
【特許文献１】特開２００５−１６７９４６号公報
【特許文献２】特開２００５−０６４７９９号公報
【特許文献３】韓国公開特許２００５−０９７０１０号公報
【特許文献４】特開２００４−２２７０４６号公報
【発明の開示】
【発明が解決しようとする課題】
【００１１】
本発明は前述の問題点を解消するために提出されたもので、本発明の目的は、送信漏れ信号が受信回路に入力されることを防止することができるＲＦＩＤシステムを備える移動通信端末機を提供することにある。
また、本発明の他の目的は、複数のアンテナを取り付けることにより移動通信端末機のサイズが大きくなることを防止することができるＲＦＩＤシステムを備える移動通信端末機を提供することにある。
【課題を解決するための手段】
【００１２】
前述の目的を達成するための本発明の構成は、所定距離に離間した位置に配置されたＲＦＩＤタグから情報を読み出すためのＲＦＩＤシステムを備える移動通信端末機において、基地局と通信を行なうために移動通信無線信号を送受信し、前記ＲＦＩＤタグに第１のＲＦＩＤ無線信号を送信するＲＦＩＤ送信用アンテナと、前記ＲＦＩＤタグから伝送された第２のＲＦＩＤ無線信号を受信するＲＦＩＤ受信用アンテナとを含むことを特徴とする。
【００１３】
前記ＲＦＩＤ送信用アンテナは、ホイップアンテナ、ＰＩＦＡアンテナ、パッチアンテナのうち少なくとも一つで製造されることができる。
前記ＲＦＩＤ送信用アンテナは、前記移動通信無線信号を送受信する移動通信用アンテナと兼用で使われるメインアンテナであることが好ましい。
前記メインアンテナの動作帯域を、前記第１のＲＦＩＤ無線信号を送信するための周波数帯域に変更させるＲＦＩＤマッチング回路と、前記移動通信用無線信号の周波数帯域に、前記メインアンテナの動作帯域をマッチングさせる通信用マッチング回路と、を更に含むことができる。
【００１４】
前記ＲＦＩＤ受信用アンテナは、極小型アンテナであることが好ましい。
前記ＲＦＩＤ受信用アンテナは、誘電体で形成されたチップセラミックアンテナであることが好ましい。
前記ＲＦＩＤ受信用アンテナは、ＰＩＦＡ/ＩＦＡタイプの小型アンテナであることが好ましい。
【００１５】
前記メインアンテナと前記ＲＦＩＤ受信用アンテナは、同一のグラウンドに接続されていることが好ましい。
前記グラウンドの一側には前記一側辺から切取られたスロットが形成され、前記メインアンテナと前記ＲＦＩＤ受信用アンテナ間のカップリングを除去することができる。
前記ＲＦＩＤ受信用アンテナは、前記ＲＦＩＤ送信用アンテナとは別に設けられることが好ましい。
【００１６】
一方、前述の目的は、所定距離に離間した位置に配置されたＲＦＩＤタグから情報を読み出すためのＲＦＩＤシステムを備える移動通信端末機において、前記ＲＦＩＤタグに第１のＲＦＩＤ無線信号を送信するＲＦＩＤ送信用アンテナと、基地局と通信を行なうために移動通信無線信号を送受信するか、前記ＲＦＩＤタグから伝送された第２のＲＦＩＤ無線信号を受信するＲＦＩＤ受信用アンテナとを含むことを特徴とするＲＦＩＤシステムを備える移動通信端末機により達成することができる。
【発明の効果】
【００１７】
本発明によると、ＲＦＩＤ送信漏れ信号がＲＦＩＤ受信回路に入力されることを防止することができる。更に、移動通信端末機の小型化を図ることができる。
【発明を実施するための最良の形態】
【００１８】
以下、添付の図面に基づいて本発明の好適な実施形態を詳述する。
＜実施形態１＞
図２は、本発明の第１実施形態に係る移動通信端末機のアンテナ領域の斜視図である。同図に示すように、本移動通信端末機は、メインアンテナ１１０、グラウンド１１５、ＲＦＩＤ受信用アンテナ１２０を含む。
【００１９】
メインアンテナ１１０は、移動通信端末機の本来の機能である無線通信を行なうとき、無線通信信号を送受信するための移動通信用アンテナと、ＲＦＩＤタグに送信されるＲＦＩＤ送信信号を伝送するためのＲＦＩＤ送信用アンテナとして使うことができる。
メインアンテナ１１０は、様々な種類のアンテナに形成することができ、第１実施例においては、メインアンテナ１１０を棒状のホイップ（Ｗｈｉｐ）アンテナとして構成することができる。一般的に移動通信端末機に使われるホイップアンテナは、モノポールアンテナ、ダイポールアンテナ、ヘリカルアンテナなどで製造することができる。ここで、モノポールアンテナの場合、移動通信端末機の基板に形成されるグラウンド１１５を利用することができ、その長さは大体λ/４の長さで形成される。
【００２０】
このようなメインアンテナ１１０を移動通信用アンテナとＲＦＩＤ送信用アンテナとして使えるようにするため、様々な方法が試されている。本出願人の先行出願によると、別のマッチング回路を用いて１つのアンテナを移動通信用とＲＦＩＤ用に使う方法が開示されている。
図３は、本出願人の先行出願に開示された１つのアンテナを用いてＲＦＩＤ無線信号と移動通信無線信号を送受信するための移動通信端末機の回路図である。同図に示すように、先行出願の移動通信端末機は、単一のアンテナ５５、スイッチ６０、ＲＦＩＤマッチング回路７０、通信用マッチング回路８０、ＲＦＩＤモジュール９０、通信用モジュール１００を含む。
【００２１】
先行出願の移動通信端末機は、単一のアンテナ５５で移動通信のための無線信号とＲＦＩＤのための無線信号ともに送受信するため、それぞれ別の通信用マッチング回路８０とＲＦＩＤマッチング回路７０を有する。
通信用マッチング回路８０は、アンテナ５５の動作帯域を調節することにより、アンテナ５５の動作帯域が移動通信用無線信号の周波数帯域に正確にマッチングされるように調節する。このような通信用マッチング回路８０は、多様な素子で構成することができ、本実施形態の通信用マッチング回路８０は、アンテナ５５と直列に接続されるインダクタＬ１、インダクタＬ１に並列に接続されたキャパシタＣ１を含む。
【００２２】
ＲＦＩＤマッチング回路７０は、互いに並列接続された一対のキャパシタＣ２、Ｃ３で形成され、ここで、キャパシタＣ２はアンテナ５５と直列接続され、キャパシタＣ３はキャパシタＣ２と並列接続される。このようなＲＦＩＤマッチング回路７０は、移動通信用無線信号の周波数帯域にマッチングされたアンテナ５５の動作帯域を、所定の幅だけ移動させてＲＦＩＤ用無線信号を送受信できるようにする。
【００２３】
一方、一般的に移動通信端末機は、アンテナが所望する動作周波数で動作するようにマッチング回路を備えている。また、最近はアンテナの性能を向上させて広帯域で動作できるアンテナが開発されており、これにより、移動通信用無線信号の周波数帯域だけではなく、ＲＦＩＤ用無線信号の周波数帯域を含む広帯域で動作する広帯域アンテナを開発することができる。このような広帯域アンテナの場合、ＲＦＩＤ用無線信号の送受信のために、図３に示されたような別のＲＦＩＤマッチング回路７０を構成することなく、既存のマッチング回路を使うことができる。すなわち、既存のマッチング回路を図３に示されたＲＦＩＤマッチング回路７０として使うことができる。
【００２４】
これにより、ホイップタイプのような広帯域アンテナは、マッチング回路を利用せず通信用帯域とＲＦＩＤ帯域を同時に満足させることができる。
一方、前述のメインアンテナ１１０は、グラウンド１１５の一側に接続され、グラウンド１１５は移動通信端末機の基板を利用する。このようなグラウンド１１５の他側にはＲＦＩＤ受信用アンテナ１２０が取り付けられている。
【００２５】
ＲＦＩＤ受信用アンテナ１２０は、極小型アンテナであるチップセラミックアンテナを使う。チップセラミックアンテナは、最近の移動通信、ＧＰＳ、無線コンピューターの小型化に伴い、既存のアンテナを代替する製品として脚光を浴びている。誘電体で形成されたチップセラミックアンテナは、四角のセラミック基板に厚膜の銀電極を印刷し、放射電極と接地電極を形成したマイクロストリップアンテナの形態であって、フッ素樹脂ガラス基板を使う場合より小型化が可能であり、温度に安定的である。
【００２６】
また、ＲＦＩＤ受信用アンテナ１２０は、小型のアンテナの具現が可能なＰＩＦＡ/ＩＦＡタイプなどの小型アンテナで具現できることは言うまでもない。
このようなチップセラミックアンテナを含む極小型/小型のアンテナを用いてＲＦＩＤ受信用アンテナ１２０を別に取り付ける場合、ＲＦＩＤ送信漏れ信号がＲＦＩＤ受信回路によって受信されることを防止できるだけではなく、移動通信端末機のサイズが大きくなることを防止できる。
【００２７】
図４Ａは図２のメインアンテナのＳ１１特性を示すグラフであり、図４Ｂは図２のＲＦＩＤ受信用アンテナのＳ１１特性を示すグラフである。
ここで、図４Ａは、メインアンテナ１１０を移動通信用アンテナとして使う場合、すなわち、図３の移動通信用マッチング回路を動作させた場合のＳ１１特性を示している。同図に示すように、メインアンテナ１１０は８６０ＭＨｚでポール（Ｐｏｌｅ）を形成しており、８６０ＭＨｚを中心帯域に−１０ｄＢにおいて移動通信帯域である８１５ＭＨｚ〜９１９ＭＨｚの帯域幅を形成することで、ＲＦＩＤ無線信号の送信できるＳ１１特性を見せている。
【００２８】
一方、図４Ｂに示されたＳ１１特性グラフから分かるように、ＲＦＩＤ受信用アンテナ１２０は９００ＭＨｚでポールを形成し、−１０ｄＢにおいてＲＦＩＤ通信帯域である９０８.５ＭＨｚ〜９１４ＭＨｚの帯域幅を含んでいる。
このような図４Ａ及び図４Ｂにより、メインアンテナ１１０はＲＦＩＤ送信用アンテナとして使用可能であり、チップセラミックアンテナはＲＦＩＤ受信用アンテナ１２０として使用可能であることが分かる。
【００２９】
図５は、本発明の第２実施形態に係る移動通信端末機のアンテナ領域の斜視図である。
本実施形態の移動通信端末機は、第１実施形態と同様に、メインアンテナ２１０、グラウンド２１５、ＲＦＩＤ受信用アンテナ２２０を含み、ＲＦＩＤ受信用アンテナ２２０はチップセラミックアンテナで製造される。但し、本メインアンテナ２１０は、ＰＩＦＡ（ｐｌａｎａｒ  Ｉｎｖｅｒｔｅｄ  Ｆ  Ａｎｔｅｎｎａ）アンテナ又はパッチ（Ｐａｔｃｈ）アンテナで構成することができ、図５に示すものはＰＩＦＡアンテナである。
【００３０】
ＰＩＦＡアンテナは、グラウンド２１５、放射部２１４、フィード部２１１、ショット部２１３を含む３次元の形で構成される。
放射部２１４はグラウンド２１５の上端に配置され、ショット部２１３は放射部２１４の先端に位置し、グラウンド２１５と放射部２１４とを接続する。フィード部２１１は放射部２１４に電流を供給する。一般的に、インピーダンスマッチングは、ショット部２１３の位置とフィード部２１１の長さによって決定される。
【００３１】
このようなＰＩＦＡアンテナにも、図３に示すようなＲＦＩＤマッチング回路７０と通信用マッチング回路８０を適用することができる。
図６Ａは図５のメインアンテナで移動通信無線信号を送受信できるように、図３の通信用マッチング回路を動作させた状態のＳ１１特性グラフであり、図６Ｂは図５のメインアンテナでＲＦＩＤ無線信号を送信できるように図３のＲＦＩＤ用マッチング回路を動作させた状態のＳ１１特性グラフである。
【００３２】
図示されているように、図６ＡのＳ１１特性グラフは、８５０ＭＨｚでポールを形成し、−６ｄＢで移動通信帯域である８２０ＭＨｚ〜８７５ＭＨｚの帯域を形成する。図６ＢのＳ１１特性グラフは、９１３ＭＨｚでポールを形成し、−１０ｄＢで９００ＭＨｚ〜９２６ＭＨｚの帯域を形成する。
そして、図５のＲＦＩＤ受信用アンテナ２２０の場合、図４Ｂと同様のＳ１１特性グラフを得ることができる。
【００３３】
これにより、図５のメインアンテナ２１０は、移動通信無線信号が送受信できるだけではなく、ＲＦＩＤ送信信号を送信することができ、ＲＦＩＤ受信用アンテナ２２０の場合、ＲＦＩＤタグから伝送されたＲＦＩＤ受信信号を受信することができる。
図７は、本発明の第３実施形態に係る移動通信端末機のアンテナ領域の斜視図である。本移動通信端末機は、メインアンテナ３１０、グラウンド３１５、ＲＦＩＤ受信用アンテナ３２０を含み、ＲＦＩＤ受信用アンテナ３２０はチップセラミックアンテナで製造され、メインアンテナ３１０はＰＩＦＡアンテナ又はパッチアンテナで製造されるという点で図５とほぼ同様の構成を有する。
【００３４】
ただし、図７のグラウンド３１５には、メインアンテナ３１０とＲＦＩＤ受信用アンテナ３２０との間にスロット３３０が形成されている。スロット３３０は、メインアンテナ３１０とＲＦＩＤ受信用アンテナ３２０との間にＲＦＩＤ受信用アンテナ３２０が取り付けられたエッジから一定の長さだけ切取られて形成され、本実施形態では直線に形成されているが多用な形状に形成できることは言うまでもない。スロット３３０は、メインアンテナ３１０とＲＦＩＤ受信用アンテナ３２０間で無線信号が相互入力される相互カップリングを減衰させることで、より正確な無線信号の判断が可能になるようにする。
【００３５】
また、前述の実施形態では、移動通信用アンテナとＲＦＩＤ送信用アンテナとを１つに結合させる構成について先行出願に基づいて説明したが、移動通信用アンテナとＲＦＩＤ受信用アンテナを１つに結合できることは言うまでもない。
その他にも移動通信用アンテナとＲＦＩＤ用アンテナとを１つに設ける方法は様々であり、本発明はこれに限られない。
【００３６】
以上、説明したように、本発明によると、ＲＦＩＤ送信用アンテナとＲＦＩＤ受信用アンテナを分離することで、ＲＦＩＤ送信漏れ信号がＲＦＩＤ受信回路によって受信されることを防止できる。更に、チップセラミックアンテナのように極小型/小型のアンテナをＲＦＩＤ受信専用に使うため、ＲＦＩＤ受信用アンテナとＲＦＩＤ送信用アンテナを分離して設けても移動通信端末機が大きくなることを防止できる。また、ＲＦＩＤ送信用アンテナと移動通信用アンテナを兼用で使うことで、移動通信端末機の小型化を図ることができる。
【００３７】
一方、送信漏れ信号を除去することにより、送信信号の大きさを増加することができるので、ＲＦＩＤタグの感度を増加することなくダイナミック範囲を増加でき、移動通信端末機とＲＦＩＤタグとの通信距離を増加することができる。
【図面の簡単な説明】
【００３８】
【図１】従来のＲＦＩＤシステムのＲＦＩＤタグとＲＦＩＤリーダーの簡略な回路図である。
【図２】本発明の第１実施形態に係る移動通信端末機のアンテナ領域の斜視図である。
【図３】本出願人の先行出願に開示された１つのアンテナを用いてＲＦＩＤ無線信号と移動通信無線信号を送受信するための移動通信端末機の回路図である。
【図４Ａ】図２のメインアンテナのＳ１１特性を示すグラフである。
【図４Ｂ】図２のＲＦＩＤ受信用アンテナのＳ１１特性を示すグラフである。
【図５】本発明の第２実施形態に係る移動通信端末機のアンテナ領域の斜視図である。
【図６Ａ】図５のメインアンテナで移動通信無線信号を送受信できるように図３の通信用マッチング回路を動作させた状態のＳ１１特性グラフである。
【図６Ｂ】図５のメインアンテナでＲＦＩＤ無線信号を送信できるように図３のＲＦＩＤ用マッチング回路を動作させた状態のＳ１１特性グラフである。
【図７】本発明の第３実施形態に係る移動通信端末機のアンテナ領域の斜視図である。
【符号の説明】
【００３９】
１１０、２１０、３１０  メインアンテナ
１１５、１２５、１３５  グラウンド
１２０、１３０、１４０  ＲＦＩＤ受信用アンテナ
３３０  スロット
【図１】
2007208993.tif 000003
【図２】
2007208993.tif 000004
【図３】
2007208993.tif 000005
【図４Ａ】
2007208993.tif 000006
【図４Ｂ】
2007208993.tif 000007
【図５】
2007208993.tif 000008
【図６Ａ】
2007208993.tif 000009
【図６Ｂ】
2007208993.tif 000010
【図７】
2007208993.tif 000011